(57)【要約】      （修正有）【課題】引出しの２段式自動引込み装置において、第１の係合部と第２の係合部が外れても容易に回復させる。【解決手段】引出しに連結される第１の係合部材４２と、収納容器本体に固定された引き込み装置本体と、引き込み装置本体に対して引出しを引き込む方向にスライド自在に支持され、第１の係合部材に係合する第２の係合部材４６と、第２の係合部材を、引出しを引き込む方向に付勢するバネ４７とを備え、第２の係合部材は、引出しを引き込む方向とは反対側の端部に、第１の係合部材が乗り上げる斜面４６ｄを備え、第１の係合部材と第２の係合部材の係合が外れるエラーが発生した場合に、第１の係合部材が斜面４６ｄに乗り上げることにより第２の係合部材が回動し、第１の係合部材と第２の係合部材の係合が回復される。【選択図】図７
2010284379.tif 000002
【特許請求の範囲】
【請求項１】
収納容器本体と、該収納容器本体に対して引き出される方向および引き込まれる方向にスライド自在に支持された引き出しとを備える収納容器において、前記引出しを前記収納容器本体に対して自動的に引き込むための引き込み装置に用いられるエラー回復装置であって、
前記引出しと前記収納容器本体のうちの一方に連結される第１の係合部材と、
前記引出しと前記収納容器本体のうちの他方に固定された引き込み装置本体と、
前記引き込み装置本体に対して前記引出しを引き込む方向にスライド自在に支持され、前記第１の係合部材に係合する第２の係合部材と、
前記第２の係合部材を、前記引出しを引き込む方向に付勢するバネとを備え、
前記第２の係合部材は、前記引出しを引き込む方向とは反対側の端部に、前記第１の係合部材が乗り上げる斜面を備え、前記第１の係合部材と前記第２の係合部材の係合が外れるエラーが発生した場合に、前記第１の係合部材が前記斜面に乗り上げることにより前記第２の係合部材が回動し、前記第１の係合部材と前記第２の係合部材の係合が回復されることを特徴とするエラー回復装置。
【請求項２】
前記第１の係合部材が前記斜面に乗り上げることにより前記第２の係合部材が回動し、前記第１の係合部材が前記斜面を乗り越えた後に前記第２の係合部材が回動した状態から前記バネの付勢力により元の位置に復帰し、前記第２の係合部材に形成された凹部に前記第１の係合部材がはまり込むことにより前記第１の係合部材と前記第２の係合部材の係合が回復されることを特徴とする請求項１に記載のエラー回復装置。
【発明の詳細な説明】
【技術分野】
【０００１】
本発明は、引出しを備えたキャビネット等に備えられた引出しを自動的に引込む装置におけるエラー回復装置に関する。
【背景技術】
【０００２】
従来より、書類等を収納するキャビネットには、一般的に、スライドレール等により引出し動作を滑らかに行えるようにした引出しが備えられている。
【０００３】
近年、このようなキャビネットには、ユーザの利便性を向上させるために、例えば特許文献１に記載されているような、引出しを引き出した状態からある程度押し込むと、その後は自動的に引出しを引込む引込み装置を備えたものが見られるようになってきている。
【０００４】
図１は、引出しの引込み装置を備えたキャビネットの一例を示す図である。図１において、キャビネットの本体であるキャビネット本体１には、引出し２と、引出し２をスライド可能に支持するためのスライドレール３と、引出し２を引き出した状態から途中まで押し込んだときに自動的にキャビネット本体１内に引込む引込み装置４００と、引込み装置４００と協働して引出し２をキャビネット本体１内に引込むストライカ５とが備えられている。
【０００５】
ここで、従来の引込み装置４００の構造について、図２を参照して説明する。図２は、引込み装置４００の構造及びその動作を示す図である。図２において、引込み装置４００は、引込み装置４００の本体である引込み装置本体４０１と、引込み装置本体４０１のスライド溝４０１ａにスライド自在に嵌合する２つのガイドピン４０２ａ，４０２ｂを備えるスライダ４０２と、スライダ４０２を引出し２を引込む方向に付勢する引っ張りバネ４０３と、引出し２が急激に引込まれることを防止するためのダンパ４０４とを備えている。
【０００６】
図２（ａ）は、上記のように構成された引込み装置４００において、引出し２が矢印Ａの方向に押し込まれる途中の、引込み装置４００が作動する直前の状態を示している。図２（ａ）の状態から引出し２をさらに押し込むと、引出し２に固定されたストライカ５の爪５ａが、スライダ４０２の凸部４０２ｃに当たり凸部４０２ｃを図中右方向に押す。これにより、スライダ４０２は図中時計回転方向に回動し、スライド溝４０１ａの先端の立下り部４０１ｂに落ち込んでいたガイドピン４０２ａが、スライド溝４０１ａの水平部に押し上げられる。また、このときストライカ５の爪５ａにスライダ４０２の凸部４０２ｄが係合する。そのため、図２（ｂ）に示すように、スライダ４０２は、引っ張りバネ４０３の付勢力により、矢印Ｂ方向にスライドし、これに伴ってスライダ４０２に係合したストライカ５も矢印Ｂ方向にスライドする。結果として、ストライカ５に固定された引出し２が引っ張りバネ４０３の付勢力により、矢印Ｂ方向にスライドされることとなり、引出し２がキャビネット本体１内に自動的に引込まれることとなる。
【先行技術文献】
【特許文献】
【０００７】
【特許文献１】特開２００９−３９４９０号公報
【発明の概要】
【発明が解決しようとする課題】
【０００８】
上記のように構成される引込み装置４００においては、何らかの原因でストライカ５の爪５ａとスライダ４０２の凸部４０２ｄの係合が外れるエラーが発生する場合があった。その場合、ストライカ５の爪５ａとスライダ４０２の凸部４０２ｄの係合を回復する必要があるが、上記の特許文献１にはこの係合を回復する構造も開示されている。
【０００９】
しかしながら、特許文献１に記載の回復構造では、回復構造を構成する部材の形状及び構造が複雑であり、引込み装置のコストが高くなるという問題があった。
【００１０】
したがって、本発明は上述した課題に鑑みてなされたものであり、その目的は、引出しの引込み装置において、単純な構造でエラーを回復できるようにすることである。
【課題を解決するための手段】
【００１１】
本発明のエラー回復装置は、収納容器本体と、該収納容器本体に対して引き出される方向および引き込まれる方向にスライド自在に支持された引き出しとを備える収納容器において、前記引出しを前記収納容器本体に対して自動的に引き込むための引き込み装置に用いられるエラー回復装置であって、前記引出しと前記収納容器本体のうちの一方に連結される第１の係合部材と、前記引出しと前記収納容器本体のうちの他方に固定された引き込み装置本体と、前記引き込み装置本体に対して前記引出しを引き込む方向にスライド自在に支持され、前記第１の係合部材に係合する第２の係合部材と、前記第２の係合部材を、前記引出しを引き込む方向に付勢するバネとを備え、前記第２の係合部材は、前記引出しを引き込む方向とは反対側の端部に、前記第１の係合部材が乗り上げる斜面を備え、前記第１の係合部材と前記第２の係合部材の係合が外れるエラーが発生した場合に、前記第１の係合部材が前記斜面に乗り上げることにより前記第２の係合部材が回動し、前記第１の係合部材と前記第２の係合部材の係合が回復されることを特徴とする。
【発明の効果】
【００１２】
本発明によれば、引出しの引込み装置において、単純な構造でエラーを回復することが可能となる。
【図面の簡単な説明】
【００１３】
【図１】本発明の一実施形態に係わる引出しの引込み装置を備えたキャビネットの構成を示す図である。
【図２】従来の引出しの引込み装置の構造を示す図である。
【図３】本発明の一実施形態の引出しの引込み装置の構造を示す図である。
【図４】本発明の一実施形態の引込み装置における引出しの引込み力と引込み量の関係を示した図である。
【図５】引込み装置にエラーが発生した状態を示す図である。
【図６】エラーを回復する構造を示す図である。
【図７】エラーを回復する構造を示す図である。
【発明を実施するための形態】
【００１４】
以下、本発明の好適な一実施形態について、図面を参照して詳細に説明する。なお、本実施形態においては、キャビネット全体の構造は、図１に示した従来のものと同一であるので、全体構成については、図１を参照して説明する。
【００１５】
図１は、本発明の一実施形態に係わる引出しの引込み装置４を備えたキャビネット（収納容器）の構成を示す図である。図１において、キャビネットの本体であるキャビネット本体（収納容器本体）１には、物品等を収納する引出し２と、引出し２をスライド可能に支持するためのスライドレール３と、引出し２を引き出した状態から途中まで押し込んだときに自動的にキャビネット本体１内に引込む引込み装置４と、引出し２に固定され引込み装置４と協働して引出し２をキャビネット本体１内に引込むストライカ５とが備えられている。なお、本実施形態では、スライドレール３には、アウターレール（外側レール）３ａと、インターレール（中間レール）３ｂと、インナーレール（内側レール）３ｃとを備える３段式のレールが用いられる。これは、２段式のレールでは、引出し２の奥側の一部分がキャビネット本体１の内側に残ってしまうので、引出し２の奥側の部分まで完全にキャビネット本体１から引き出せるようにするためである。
【００１６】
図３は、本実施形態の引込み装置４の構造を示す図である。
【００１７】
図３において、引込み装置４は、引込み装置４の本体であり、キャビネット１に固定された引込み装置本体４１と、引込み装置本体４１のスライド溝４１ａにスライド自在に嵌合する２つのガイドピン４２ａ，４２ｂを備えるスライダ（第１の係合部材）４２と、スライダ４２を引出し２を引込む方向に付勢する引っ張りバネ４３と、引出し２が急激に引込まれることを防止するためのダンパ４４とを備えている。ダンパ４４のピストンの先端は、ガイドピン４２ｂに連結されている。本実施形態では、このような構成を備える引込み部を第１の引込み部１００と呼ぶこととする。第１の引込み部の構成は、図２に示した従来の引込み装置４００の構成と概略同じである。
【００１８】
本実施形態の引込み装置４は、上記の第１の引込み部１００の下方に第２の引込み部１０１を備えている。この第２の引込み部１０１は、引込み装置本体４１のスライド溝４５ａにスライド自在に嵌合する２つのガイドピン４６ａ，４６ｂを備えるスライダ４６（第２の係合部材）と、スライダ４６を引出し２を引込む方向に付勢する引っ張りバネ４７と、引出し２が急激に引込まれることを防止するためのダンパ４８とを備えている。ダンパ４８のピストンの先端は、ガイドピン４６ｂに連結されている。また、ダンパ４８の後端部には、ブラケット４８ａが固定されており、このブラケット４８ａの中心穴が引込み装置本体４１に固定されたピン４１ｃに嵌合することにより、ダンパ４８は、引込み装置本体４１に対して矢印Ｅ方向に回動可能に支持されている。
【００１９】
図３（ａ）は、上記のように構成された引込み装置４において、引出し２が矢印Ａの方向に押し込まれる途中の、引込み装置４が作動する直前の状態を示している。図３（ａ）の状態では、スライダ４２のガイドピン４２ａは、スライド溝４１ａの立下り部４１ｂに落ち込んでいるため、引っ張りバネ４３の引っ張り力に抗して、図３（ａ）に示す位置でロックされている。図３（ａ）の状態から引出し２をさらに押し込むと、引出し２に固定されたストライカ５の爪５ａが、スライダ４２の凸部４２ｃに当たり凸部４２ｃを図中右方向に押す。これにより、スライダ４２は図中時計回転方向に回動し、スライド溝４１ａの先端の立下り部４１ｂに落ち込んでいたガイドピン４２ａが、スライド溝４１ａの水平部に押し上げられる。また、このときストライカ５の爪５ａにスライダ４２の凸部４２ｄが係合する。そのため、図３（ｂ）に示すように、スライダ４２は、引っ張りバネ４３の付勢力により、矢印Ｂ方向にスライドし、これに伴ってスライダ４２に係合したストライカ５も矢印Ｂ方向にスライドする。結果として、ストライカ５に固定された引出し２が引っ張りバネ４３の付勢力により、矢印Ｂ方向にスライドされることとなり、引出し２がキャビネット本体１内に自動的に引込まれることとなる。
【００２０】
次に、図３（ｂ）は、スライダ４２が引出し２を引込みながら、引出し２の引込みストロークの途中まで来て、第２の引込み部１０１を作動させる直前の状態を示している。図３（ｂ）の状態では、スライダ４６のガイドピン４６ａは、スライド溝４５ａの立下り部４５ｂに落ち込んでいるため、引っ張りバネ４７の引っ張り力に抗して、図３（ｂ）に示す位置でロックされている。図３（ｂ）の状態から引出し２（スライダ４２）が引っ張りバネ４３の力によりさらに引込まれると、スライダ４２の爪４２ｅが、スライダ４６の凸部４６ｃに当たり凸部４６ｃを図中右方向に押す。これにより、スライダ４６は図中時計回転方向に回動し、スライド溝４５ａの先端の立下り部４５ｂに落ち込んでいたガイドピン４６ａが、スライド溝４５ａの水平部に押し上げられる。また、このときスライダ４２の爪４２ｅにスライダ４６の凸部４６ｄが係合する。そのため、図３（ｃ）に示すように、スライダ４６は、引っ張りバネ４７の付勢力により、矢印Ｃ方向にスライドし、これに伴ってスライダ４２を介してスライダ４６に間接的に係合したストライカ５も矢印Ｃ方向にスライドする。結果として、ストライカ５に固定された引出し２が引っ張りバネ４３と４７の付勢力の合計の力により、矢印Ｃ方向にスライドされることとなり、引出し２がキャビネット本体１内に自動的に引込まれることとなる。
【００２１】
次に、ユーザが引き出し２を引き出す場合の動作について説明する。まず、ユーザが引出し２を、キャビネット本体１に完全に引込まれた状態から引き出し始めると、図３（ｃ）のような状態となる。この状態からさらに引出し２を引き出してスライダ４６がスライド溝４５ａの図中左側の端部まで到達すると、スライダ４２の爪４２ｅがスライダ４６の凸部４６ｄを図中左側に押すため、スライダ４６のガイドピン４６ａがスライド溝４５ａの立下り部４５ｂに落ち込む。これにより、スライダ４６は図３（ｂ）に示す位置でロックされる。これと同時に、スライダ４２の爪４２ｅとスライダ４６の凸部４６ｄの係合が外れ、スライダ４２には、引っ張りバネ４３の引っ張り力のみが作用することとなる。そして、図３（ｂ）の状態からさらに引出し２を引き出してスライダ４２がスライド溝４１ａの図中左側の端部まで到達すると、ストライカ５の爪５ａがスライダ４２の凸部４２ｄを図中左側に押すため、スライダ４２のガイドピン４２ａがスライド溝４１ａの立下り部４１ｂに落ち込む。これによりスライダ４２は図３（ａ）に示す位置でロックされる。これと同時に、ストライカ５の爪５ａとスライダ４２の凸部４２ｄの係合が外れ、ユーザは引出し２をストロークの最後まで自由に引き出せるようになる。
【００２２】
図４は、本実施形態の引込み装置４における引出し２の引込み力と引込み量の関係を示した図である。図４に示すように、引出し２の引込み始めの位置では、引出し２の引込み力は、引っ張りバネ４３の引っ張り力により決まり、引出し２は引込み力ａで引込まれる。その後、引出し２が奥に引込まれるにつれて、引っ張りバネ４３が縮み、引出し２の引込み力はｂに低下する。しかし、図４のＡ点において、図３（ｃ）に示すように、第２の引込み部１０１が作動し、引っ張りバネ４３の引っ張り力ｂに引っ張りバネ４７の引っ張り力ｃが加わるため、この時点で引出し２の引込み力は、ｂ＋ｃとなる。すなわち、引出し２が引込みストロークの途中まで引込まれた時点で、引っ張りバネ４７の引っ張り力が追加されることとなり、引出し２がキャビネット１の奥の方に引込まれたときの引込み力を確保することが可能となる。また、ユーザが引出し２を引き出す場合は、図４のＡ点において、第２の引込み部１０１が解除されるため、引っ張りバネ４７の引っ張り力が働かなくなり、ユーザが引出し２を引き出すために過度の引出し力を必要とすることも無い。
【００２３】
（引込み装置のエラー回復動作）
次に、上記の一実施形態のように構成される引込み装置にエラーが発生した場合の回復動作について説明する。
【００２４】
本実施形態の引込み装置では、通常は、図３（ｃ）に示す状態から引出し２を引き出していくと、ストライカ５に係合しているスライダ４２もストライカ５と共に引き出す方向に移動され、最終的には図３（ａ）及び図５（ａ）に示すように、図中左側のストローク端部でロックされる。しかしながら、何らかの原因により、図５（ｂ）に示すように、ストライカ５の爪５ａとスライダ４２の凸部４２ｄの係合が外れ、スライダ４２がキャビネット本体１の奥側に取り残されたまま、引き出し２（ストライカ５）がキャビネット本体１から引き出されてしまう場合（エラーの状態）がある。
【００２５】
この場合、ストライカ５の爪５ａとスライダ４２の凸部４２ｄの係合を復帰させる必要がある。図６は、この係合を復帰させる構造を示す図である。
【００２６】
本実施形態では、図６（ａ）及び図６（ａ）のＤ−Ｄ断面図である図６（ｂ）に示すように、ストライカ５の爪５ａには矢印Ａで示す進行方向に向かって次第に厚みが薄くなるように斜面５ａ−１が形成され、スライダ４２の凸部４２ｄにはＡで示す方向に向かって次第に厚みが厚くなる斜面４２ｄ−１が形成されている。そのため、図５（ｂ）で示すエラーの状態から、ユーザが引出し２を押し込んでいくと、図６（ｂ）に示すようにストライカ５の爪５ａがスライダ４２の凸部４２ｄに次第に接近し、ストライカ５の爪５ａがスライダ４２の凸部４２ｄに接触すると、互いの斜面５ａ−１と４２ｄ−１がスライドして、図６（ｃ）に示すように、ストライカ５の爪５ａがスライダ４２の凸部４２ｄを乗り越える。これにより、図５（ｃ）に示すように、ストライカ５の爪５ａとスライダ４２の凸部４２ｄの係合が復帰される。したがって、この構造によれば、エラーが発生した場合でも、ユーザが引出し２を押し込む動作だけで、エラーを回復させることが可能となる。
【００２７】
上記の説明は、第１の引込み部１００におけるエラー復帰動作の説明であるが、次に、第２の引込み部１０１にエラーが発生した場合の復帰動作について図７を参照して説明する。
【００２８】
本実施形態の引込み装置では、通常は、図３（ｃ）、図７（ａ）に示す状態から引出し２を引き出していくと、ストライカ５に係合しているスライダ４２が引き出す方向に移動され、スライダ４２に係合しているスライダ４６もスライダ４２と共に引き出す方向に移動される。そして、最終的には図３（ａ）に示すように、スライダ４６は図中左側のストローク端部でロックされる。しかしながら、何らかの原因により、図７（ｂ）に示すように、スライダ４２の爪４２ｅとスライダ４６の凸部４６ｄの係合が外れ、スライダ４６がキャビネット本体１の奥側に取り残されたまま、引き出し２（ストライカ５及びスライダ４２）がキャビネット本体１から引き出されてしまう場合（エラーの状態）がある。
【００２９】
この場合、スライダ４２の爪４２ｅとスライダ４６の凸部４６ｄの係合を復帰させる必要がある。図７は、この係合を復帰させる構造を示す図である。
【００３０】
本実施形態では、図７に示すように、第２の引込み部１０１を構成するスライド溝４５ａの図中右端部（引込み方向端部）には、立下り部４５ｃが形成されている。スライダ４６が図中右端部である引込み方向端部に位置している状態では、スライダ４６が引っ張りバネ４７により図中右方向に引っ張られていることから、図７（ｂ）に示すようにスライダ４６は水平な状態にある。この状態で、ユーザが引出し２を押し込んでいくと、ストライカ５に係合しているスライダ４２が図中右方向に移動する。そして、スライダ４６の凸部４６ｄにスライダ４２の爪４２ｅが接触すると、図７（ｃ）に示すように、スライダ４２の爪４２ｅがスライダ４６の凸部４６ｄの上端部に形成された斜面（引込み方向と反対側に形成された斜面）４６ｄ−１に乗り上げる。このとき、スライダ４６のガイドピン４６ｂがスライド溝４５ａの立下り部４５ｃに落ち込み、スライダ４６は引っ張りバネ４７の付勢力に抗して時計回転方向に回転される。そのため、スライダ４２の爪４２ｅは、スライダ４６の凸部４６ｄを乗り越えることが可能となる。なお、このとき、図３に示したように第２の引込み部１０１を構成するダンパ４８が引込み装置本体４１に対して矢印Ｅ方向に回動可能に構成されているため、スライダ４６のガイドピン４６ｂがスライド溝４５ａの立ち下がり部４５ｃに落ち込むことに伴って、ダンパ４８は矢印Ｅの反時計回転方向に回動する。スライダ４２の爪４２ｅがスライダ４６の凸部４６ｄを乗り越えた後には、スライダ４６は、図７（ｄ）に示すように、引っ張りバネ４７の引っ張り力により、水平状態に復帰する。以上の動作により、スライダ４２の爪４２ｅとスライダ４６の凸部４６ｄ（凸部４６ｄの右側の凹部）の係合が復帰される。したがって、この構造によれば、エラーが発生した場合でも、ユーザが引出し２を押し込む動作だけで、第２の引込み部１０１のエラーを回復させることが可能となる。
【００３１】
以上説明したように、本実施形態の引込み装置４によれば、引込み装置にエラーが発生した場合でも、ユーザが引出し２を押し込む動作だけで、エラーを回復させることが可能となる。
【００３２】
なお、上記の実施形態では、ストライカ５を引出し２に固定し、引込み装置４をキャビネット本体１に固定するように説明したが、逆にストライカ５をキャビネット本体１に固定し、引込み装置４を引き出しに固定するようにしても同様の効果が得られる。
【図１】
2010284379.tif 000003
【図２】
2010284379.tif 000004
【図３】
2010284379.tif 000005
【図４】
2010284379.tif 000006
【図５】
2010284379.tif 000007
【図６】
2010284379.tif 000008
【図７】
2010284379.tif 000009